【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
異なる方式で符号化された複数のデータ線に入力された信号を復号するように適合される受信回路であって、少なくとも1つのデータシンボルが、前記異なる方式で符号化された信号の状態遷移において、異なる方式で符号化される、受信回路と、
前記状態遷移に由来する状態遷移信号からクロック信号を取得するように適合されるクロック抽出回路と
を備え、
前記クロック抽出回路は、前記クロック信号を取得するために使用される第1の状態遷移信号のフィードバック遅延インスタンス(SDRCLK)を含む、クロック回復回路。
【請求項２】
前記複数のデータ線は、3本以上である、請求項1に記載のクロック回復回路。
【請求項３】
前記クロック抽出回路は、
第1の状態遷移信号の第1のインスタンス(SI)と、前記第1の状態遷移信号のレベルラッチインスタンス(S)とを比較し、かつ比較信号(NE)を出力する比較器(804)と、
前記比較信号(NE)を前記比較器(804)から受信し、かつフィルタ処理済の比較信号(NEFLT)を出力するセットリセットラッチ(806)と、
前記フィルタ処理済の比較信号(NEFLT)を受信し、かつ前記第1の状態遷移信号の遅延インスタンス(SDRCLK)を出力するアナログ遅延デバイス(808)であって、前記第1の状態遷移信号の前記遅延インスタンス(SDRCLK)は、前記クロック信号(DDRCLK)を取得するために使用される、アナログ遅延デバイスと
を備える、請求項1に記載のクロック回復回路。
【請求項４】
前記セットリセットラッチ(806)は、前記第1の状態遷移信号の前記遅延インスタンス(SDRCLK)に基づいてリセットされる、請求項3に記載のクロック回復回路。
【請求項５】
前記クロック抽出回路は、
前記第1の状態遷移信号(SI)を受信し、かつ前記第1の状態遷移信号の前記レベルラッチインスタンス(S)を出力するレベルラッチ(810)をさらに含み、前記レベルラッチ(810)は、前記第1の状態遷移信号の前記遅延インスタンス(SDRCLK)に基づいて起動される、請求項3に記載のクロック回復回路。
【請求項６】
前記クロック抽出回路は、
前記フィルタ処理済の比較信号(NEFLT)を受信し、かつ前記フィルタ処理済の比較信号の遅延インスタンス(NEDEL)を出力する第1のアナログ遅延デバイス(902)と、
前記フィルタ処理済の比較信号(NEFLT)と、前記フィルタ処理済の比較信号の前記遅延インスタンス(NEDEL)とを受信し、かつ第2のフィルタ処理済の比較信号(NE1SHOT)を出力するワンショットロジック(902/903)と、
前記第2のフィルタ処理済の比較信号(NE1SHOT)を受信し、かつ前記第1の状態遷移信号の遅延インスタンス(SDRCLK)を出力する第2のアナログ遅延デバイス(908)であって、前記第1の状態遷移信号の前記遅延インスタンス(SDRCLK)は、前記クロック信号(DDRCLK)を取得するために使用される、第2のアナログ遅延デバイスと
を備える、請求項3〜5のいずれか一項に記載のクロック回復回路。
【請求項７】
前記クロック抽出回路は、
前記フィルタ処理済の比較信号(NEFLT)を受信し、かつ前記フィルタ処理済の比較信号の遅延インスタンス(NEDEL)を出力する第1のアナログ遅延デバイス(1202)と、
前記フィルタ処理済の比較信号(NEFLT)と、前記フィルタ処理済の比較信号の前記遅延インスタンス(NEDEL)とを受信し、かつ第2のフィルタ処理済の比較信号(NE1SHOT)を出力するワンショットロジック(1202/1203)と、
前記第2のフィルタ処理済の比較信号(NE1SHOT)を受信し、かつ前記第1の状態遷移信号の第1の遅延インスタンス(SDRCLK0)を出力する第2のアナログ遅延デバイス(1208)であって、前記第1の状態遷移信号の前記第1の遅延インスタンス(SDRCLK0)は、前記クロック信号を取得するために使用される、第2のアナログ遅延デバイスと、
前記第1の状態遷移信号の前記第1の遅延インスタンス(SDRCLK0)を受信し、かつ前記第1の状態遷移信号の第2の遅延インスタンス(SDRCLK)を出力する第3のアナログ遅延デバイス(1209)と
を備える、請求項3〜5のいずれか一項に記載のクロック回復回路。
【請求項８】
前記クロック抽出回路は、前記第1の状態遷移信号(SI)を受信し、かつ前記第1の状態遷移信号のレベルラッチインスタンス(S)を出力するフリップフロップ(1310)を含み、前記レベルラッチ(1210)は、前記第1の状態遷移信号の第2の遅延インスタンス(SDRCLK2)に基づいて起動される、請求項7に記載のクロック回復回路。
【請求項９】
クロック信号を回復するための方法であって、
異なる方式で符号化された複数のデータ線における信号を復号するステップであって、少なくとも1つのデータシンボルが、前記異なる方式で符号化された信号の状態遷移にて、異なる方式で符号化される、ステップと、
前記状態遷移に由来する状態遷移信号からクロック信号を取得するステップであって、前記クロック信号は、前記クロック信号を取得するために使用される第1の状態遷移信号のフィードバック遅延インスタンス(SDRCLK)である、ステップと
を含む、方法。
【請求項１０】
異なる方式で符号化された復号済の前記信号から、データを抽出するステップをさらに含む、請求項9に記載の方法。
【請求項１１】
前記クロック信号は、
第1の状態遷移信号の第1のインスタンス(SI)と、前記第1の状態遷移信号のインスタンス(S)とを比較して、比較信号(NE)を提供するステップと、
前記比較信号(NE)をフィルタ処理して、フィルタ処理済の比較信号(NEFLT)を提供するステップと、
前記フィルタ処理済の比較信号(NEFLT)を遅延させて、前記第1の状態遷移信号の遅延インスタンス(SDRCLK)を提供するステップであって、前記第1の状態遷移信号の前記遅延インスタンス(SDRCLK)は、前記クロック信号(DDRCLK)を取得するために使用されるステップと
によって取得される、請求項9に記載の方法。
【請求項１２】
前記クロック信号は、
前記第1の状態遷移信号の第1のインスタンス(SI)と、前記第1の状態遷移信号のレベルラッチインスタンス(S)とを比較して、比較信号(NE)を提供するステップと、
前記比較信号(NE)をフィルタ処理して、フィルタ処理済の比較信号(NEFLT)を提供するステップと、
前記フィルタ処理済の比較信号(NEFLT)を遅延させて、前記フィルタ処理済の比較信号の遅延インスタンス(NEDEL)を提供するステップと、
前記フィルタ処理済の比較信号(NEFLT)と、前記フィルタ処理済の比較信号の前記遅延インスタンス(NEDEL)とを論理的に結合して、第2のフィルタ処理済の比較信号(NE1SHOT)を取得するステップと、
前記第2のフィルタ処理済の比較信号(NE1SHOT)を遅延させて、前記第1の状態遷移信号の遅延インスタンス(SDRCLK)を提供するステップであって、前記第1の状態遷移信号の前記遅延インスタンス(SDRCLK)は、前記クロック信号(DDRCLK)を生成するために使用される、ステップと
によって取得される、請求項9に記載の方法。
【請求項１３】
前記クロック信号は、
第1の状態遷移信号の第1のインスタンス(SI)と、前記第1の状態遷移信号のレベルラッチインスタンス(S)とを比較して、比較信号(NE)を提供するステップと、
前記比較信号(NE)をフィルタ処理して、フィルタ処理済の前記比較信号(NEFLT)を提供するステップと、
前記フィルタ処理済の比較信号(NEFLT)を遅延させて、前記フィルタ処理済の比較信号の遅延インスタンス(NEDEL)を提供するステップと、
前記フィルタ処理済の比較信号(NEFLT)と、前記フィルタ処理済の比較信号の前記遅延インスタンス(NEDEL)とを論理的に結合して、第2のフィルタ処理済の比較信号(NE1SHOT)を提供するステップと、
前記第2のフィルタ処理済の比較信号(NE1SHOT)を遅延させて、前記第1の状態遷移信号の第1の遅延インスタンス(SDRCLK0)を提供するステップであって、前記第1の状態遷移信号の前記第1の遅延インスタンス(SDRCLK0)は、前記クロック信号を生成するために使用される、ステップと、
前記第1の状態遷移信号の前記第1の遅延インスタンス(SDRCLK0)を遅延させて、前記第1の状態遷移信号の第2の遅延インスタンス(SDRCLK)を提供するステップと
によって取得される、請求項9に記載の方法。
【請求項１４】
前記クロック信号は、
前記第1の状態遷移信号の第1のインスタンス(SI)と、前記第1の状態遷移信号のレベルラッチインスタンス(S)とを比較して、比較信号(NE)を提供するステップと、
前記比較信号(NE)をフィルタ処理して、フィルタ処理済の比較信号(NEFLT)を提供するステップと、
前記フィルタ処理済の比較信号(NEFLT)を遅延させて、前記フィルタ処理済の比較信号の遅延インスタンス(NEDEL)を提供するステップと、
前記フィルタ処理済の比較信号(NEFLT)と、前記フィルタ処理済の比較信号の前記遅延インスタンス(NEDEL)とを論理的に結合して、第2のフィルタ処理済の比較信号(NE1SHOT)を提供するステップと、
前記第2のフィルタ処理済の比較信号(NE1SHOT)を遅延させて、前記第1の状態遷移信号の第1の遅延インスタンス(SDRCLK1)を提供するステップであって、前記第1の状態遷移信号の前記第1の遅延インスタンス(SDRCLK1)は、前記クロック信号(DDRCLK)を生成するために使用される、ステップと、
前記第1の状態遷移信号の前記第1の遅延インスタンス(SDRCLK1)を遅延させて、前記第1の状態遷移信号の第2の遅延インスタンス(SDRCLK2)を提供するステップと
によって取得され、
前記第1の状態遷移信号の前記レベルラッチインスタンス(S)は、前記第1の状態遷移信号の前記第2の遅延インスタンス(SDRCLK2)に基づいて起動されるレベルラッチ(1210)から取得される、請求項10に記載の方法。
【請求項１５】
異なる方式で符号化された複数のデータ線における信号を復号するための手段であって、少なくとも1つのデータシンボルが、前記異なる方式で符号化された信号の状態遷移において、異なる方式で符号化されている、手段と、
前記状態遷移に由来する状態遷移信号からクロック信号を取得するように適合される手段であって、前記クロック信号を取得するために使用される第1の状態遷移信号のフィードバック遅延インスタンス(SDRCLK)を含む、手段と
を備える、クロック回復回路。